(57)【特許請求の範囲】
【請求項１】
マトリクス状に配置された複数の画素に合わせて、走査信号が印加される走査配線とデータ信号が印加される信号配線とが交差して形成されるとともに、上記走査配線と信号配線との各交差部近傍にはこれら走査配線及び信号配線に電気的に接続されたスイッチング素子が設けられ、各スイッチング素子には画素電極が接続されている液晶表示装置において、
Ｒ（Red:赤）・Ｇ（Green:緑）・Ｂ（Blue: 青）の３原色からなるカラーフィルタがそれぞれ設けられているとともに、
最端の画素列の外側に、ダミー信号配線により駆動されるダミー画素が隣接配置され、ダミー画素に接続されるダミー信号配線は、上記カラーフィルタの色及び交流駆動における極性の周期に合わせて、対応するいずれかの同一色かつ同一極性のデータ信号の信号配線に接続されていることを特徴とする液晶表示装置。
【請求項２】
ダミー信号配線には、ダミー画素駆動用の出力バッファが接続されていることを特徴とする請求項１記載の液晶表示装置。
【請求項３】
マトリクス状に配置された複数の画素に合わせて、走査信号が印加される走査配線とデータ信号が印加される信号配線とが交差して形成されるとともに、上記走査配線と信号配線との各交差部近傍にはこれら走査配線及び信号配線に電気的に接続されたスイッチング素子が設けられ、各スイッチング素子には画素電極が接続されている液晶表示装置において、
最端の画素列の外側に、ダミー信号配線により駆動されるダミー画素が隣接配置され、
ダミー画素に接続されるダミー信号配線は、色及び交流駆動における極性の周期に合わせて、対応するいずれかの同一色かつ同一極性のデータ信号の信号配線に接続され、
ダミー画素に接続されるダミー信号配線は、ゲートライン反転駆動方式の場合には、そのダミー信号配線の３ｎ（ｎ＝１、２…）ライン隣の信号配線に接続されていることを特徴とする液晶表示装置。
【請求項４】
マトリクス状に配置された複数の画素に合わせて、走査信号が印加される走査配線とデータ信号が印加される信号配線とが交差して形成されるとともに、上記走査配線と信号配線との各交差部近傍にはこれら走査配線及び信号配線に電気的に接続されたスイッチング素子が設けられ、各スイッチング素子には画素電極が接続されている液晶表示装置において、
最端の画素列の外側に、ダミー信号配線により駆動されるダミー画素が隣接配置され、
ダミー信号配線には、ダミー画素駆動用の出力バッファが接続され、
ダミー画素に接続されるダミー信号配線は、色及び交流駆動における極性の周期に合わせて、対応するいずれかの同一色かつ同一極性のデータ信号の信号配線に接続され、
ダミー画素に接続されるダミー信号配線は、ゲートライン反転駆動方式の場合には、そのダミー信号配線の３ｎ（ｎ＝１、２…）ライン隣の信号配線に接続されていることを特徴とする液晶表示装置。
【請求項５】
マトリクス状に配置された複数の画素に合わせて、走査信号が印加される走査配線とデータ信号が印加される信号配線とが交差して形成されるとともに、上記走査配線と信号配線との各交差部近傍にはこれら走査配線及び信号配線に電気的に接続されたスイッチング素子が設けられ、各スイッチング素子には画素電極が接続されている液晶表示装置において、
最端の画素列の外側に、ダミー信号配線により駆動されるダミー画素が隣接配置され、
ダミー画素に接続されるダミー信号配線は、色及び交流駆動における極性の周期に合わせて、対応するいずれかの同一色かつ同一極性のデータ信号の信号配線に接続され、
ダミー画素に接続されるダミー信号配線は、ドット反転駆動方式又はソース反転駆動方式の場合には、そのダミー信号配線の６ｎ（ｎ＝１、２…）ライン隣の信号配線に接続されていることを特徴とする液晶表示装置。
【請求項６】
マトリクス状に配置された複数の画素に合わせて、走査信号が印加される走査配線とデータ信号が印加される信号配線とが交差して形成されるとともに、上記走査配線と信号配線との各交差部近傍にはこれら走査配線及び信号配線に電気的に接続されたスイッチング素子が設けられ、各スイッチング素子には画素電極が接続されている液晶表示装置において、
最端の画素列の外側に、ダミー信号配線により駆動されるダミー画素が隣接配置され、
ダミー信号配線には、ダミー画素駆動用の出力バッファが接続され、
ダミー画素に接続されるダミー信号配線は、色及び交流駆動における極性の周期に合わせて、対応するいずれかの同一色かつ同一極性のデータ信号の信号配線に接続され、
ダミー画素に接続されるダミー信号配線は、ドット反転駆動方式又はソース反転駆動方式の場合には、そのダミー信号配線の６ｎ（ｎ＝１、２…）ライン隣の信号配線に接続されていることを特徴とする液晶表示装置。
【請求項７】
マトリクス状に配置された複数の画素に合わせて、走査信号が印加される走査配線とデータ信号が印加される信号配線とが交差して形成されるとともに、上記走査配線と信号配線との各交差部近傍にはこれら走査配線及び信号配線に電気的に接続されたスイッチング素子が設けられ、各スイッチング素子には画素電極が接続されている液晶表示装置において、
Ｒ（Red:赤）・Ｇ（Green:緑）・Ｂ（Blue: 青）の３原色からなるカラーフィルタがそれぞれ設けられているとともに、
最端の画素列の外側に、ダミー信号配線が隣接配置され、かつダミー信号配線には、出力バッファが接続され、
ダミー信号配線は、上記カラーフィルタの色及び交流駆動における極性の周期に合わせて、対応するいずれかの同一色かつ同一極性のデータ信号の信号配線に接続されていることを特徴とする液晶表示装置。
【請求項８】
マトリクス状に配置された複数の画素に合わせて、走査信号が印加される走査配線とデータ信号が印加される信号配線とが交差して形成されるとともに、上記走査配線と信号配線との各交差部近傍にはこれら走査配線及び信号配線に電気的に接続されたスイッチング素子が設けられ、各スイッチング素子には画素電極が接続されている液晶表示装置において、
最端の画素列の外側に、ダミー信号配線が隣接配置され、かつダミー信号配線には、出力バッファが接続され、
ダミー信号配線は、色及び交流駆動における極性の周期に合わせて、対応するいずれかの同一色かつ同一極性のデータ信号の信号配線に接続され、
ダミー信号配線は、ゲートライン反転駆動方式の場合には、そのダミー信号配線の３ｎ（ｎ＝１、２…）ライン隣の信号配線に接続されていることを特徴とする液晶表示装置。
【請求項９】
マトリクス状に配置された複数の画素に合わせて、走査信号が印加される走査配線とデータ信号が印加される信号配線とが交差して形成されるとともに、上記走査配線と信号配線との各交差部近傍にはこれら走査配線及び信号配線に電気的に接続されたスイッチング素子が設けられ、各スイッチング素子には画素電極が接続されている液晶表示装置において、
最端の画素列の外側に、ダミー信号配線が隣接配置され、かつダミー信号配線には、出力バッファが接続され、
ダミー信号配線は、色及び交流駆動における極性の周期に合わせて、対応するいずれかの同一色かつ同一極性のデータ信号の信号配線に接続され、
ダミー信号配線は、ドット反転駆動方式又はソース反転駆動方式の場合には、そのダミー信号配線の６ｎ（ｎ＝１、２…）ライン隣の信号配線に接続されていることを特徴とする液晶表示装置。
【発明の詳細な説明】
【０００１】
【発明の属する技術分野】
本発明は、薄膜トランジスタ等のスイッチング素子をマトリクス状に配置してなるアクティブマトリクス型の液晶表示装置に関するものである。
【０００２】
【従来の技術】
液晶表示装置は、低電圧、低電力駆動が可能で、薄型、軽量のフラットパネルディスプレイとして昨今では多岐の商品にわたって応用され、市販されている。このような液晶表示装置としてマトリクス型液晶表示装置が知られている。
【０００３】
マトリクス型液晶表示装置は、マトリクス状に配列された各絵素に対してそれぞれに独立に駆動電圧を印加することにより液晶の光学特性が変化し、画像や文字が表示されるものである。なかでもアクティブマトリクス駆動方式は、各絵素にＴＦＴ(Thin Film Transistor:薄膜トランジスタ）、ＭＩＭ（Metal Insulator Metal)等のスイッチング素子を取り付けることにより高コントラスト、高速応答等の高画質表示を可能にしている。
【０００４】
ここでＴＦＴ素子を用いたアクティブマトリクス型の液晶表示装置の構成について以下に説明する。
【０００５】
アクティブマトリクス型の液晶表示装置は、上下一対のガラス基板の間からなり、その間に液晶が封入されている。一方の基板上には、ＴＦＴ素子とそれに接続された回路配線が形成されている。
【０００６】
すなわち、図９に示すように、基板上には、走査配線駆動回路８３からの走査配線８１（Ｇ１，Ｇ２，…）と、信号配線駆動回路８４からの信号配線２（Ｓ１，Ｓ２，…）とが直交配置して形成されている。上記走査配線８１（Ｇ１，Ｇ２，…）と信号配線８２（Ｓ１，Ｓ２，…）との各交差部近傍にはスイッチング素子であるＴＦＴ８５が設けられ、各ＴＦＴ８５…には透明な画素電極９０が接続されている。
【０００７】
また、図１０に示すように、画素電極９０に対向して共通電極９２が設けられ、この共通電極９２には図示しない共通配線が接続されている。そして、上記の画素電極９０と共通電極９２とによって、液晶容量Ｃlc９１を確保するためのコンデンサが構成されている。
【０００８】
一方、ＴＦＴ８５は、そのゲート電極８７が各走査配線８１（Ｇ１，Ｇ２，…）に接続されるとともに、ソース電極８８が信号配線８２（Ｓ１，Ｓ２，…）に接続され、ドレイン電極８９が画素電極９０にそれぞれ接続されている。さらに、画素電極９０の下方には補助容量配線８６が形成されている。そして、液晶の保持動作を改善して高画質化を図る観点から、上記の画素電極９０と補助容量配線８６とによって補助容量Ｃｓ９３を確保するためのコンデンサが構成されている。
【０００９】
この構成において、走査配線駆動回路８３によって、走査配線８１（Ｇ１，Ｇ２，…）に順次走査信号が入力されると、この走査信号入力によって一行分の各ＴＦＴ８５のゲートが同時にオンし、信号配線駆動回路８４によって信号配線８２（Ｓ１，Ｓ２，…）から表示用のデータ信号が１画素毎に入力される。
【００１０】
これによって、このデータ信号が画素電極９０に印加され、この画素電極９０と共通電極９２との電位差によって液晶の透過率が変化され、液晶パネル面上に文字、画像等が表示される。ただし、その場合、液晶に直流電圧が長時間にわたって印加され続けると、その保持特性が劣化するため、信号配線８２（Ｓ１，Ｓ２，…）に入力されるデータ信号の極性を、例えば、１水平期間毎に反転する等して、画素電極９０には正の電圧と負の電圧とが交互に加わるように、いわゆる交流駆動が行われる。
【００１１】
【発明が解決しようとする課題】
ところで、一般に、導電膜を平行に配置したり導電膜を絶縁膜を介して上下に配置した場合には、その間に寄生容量が発生する。すなわち、１画素について、理想状態では、図１０に示すように、画素電極９０と共通電極９２との間の液晶容量Ｃlc９１、及び画素電極９０と補助容量配線８６との間の補助容量Ｃｓ９３が存在するのみである。
【００１２】
ここで、今、図９に示す例えば２行２列目の一つの画素、つまり同図において上から２段目の走査配線Ｇ２にＴＦＴ８５のゲートが接続され、左から２段目の信号配線Ｓ２にＴＦＴ８５のソースがそれぞれ接続されている画素に着目する。
【００１３】
この画素については、同図から分かるように、画素電極９０の周りが上下の走査配線Ｇ２・Ｇ３と左右の信号配線Ｓ２・Ｓ３とによって枠状に囲まれているため、図１１に示すように、画素電極９０と各配線Ｇ２・Ｇ３・Ｓ２・Ｓ３との間でそれぞれ寄生容量Ｃgd９４・Ｃgd９７・Ｃsd９５・Ｃsd９６が生じる。
【００１４】
また、絵素の開口率を高くするために走査配線８１及び／又は信号配線８２上に絶縁膜層を挟んで画素電極９０を重ねたような場合には、隣り合う画素電極９０・９０間同士においても寄生容量９８…が発生する。したがって、ドレイン電極８９の電位は、これら全ての周りの配線との寄生容量とのカップリングの影響を受けたものとなる。
【００１５】
しかしながら、上記従来の液晶表示装置では、以下の問題点を有している。
【００１６】
すなわち、上述の各画素に寄生容量が発生する場合の説明は、右から２段目の信号配線Ｓ２にＴＦＴ８５が接続された一つの画素に関してであったが、最左端にある信号配線Ｓ１にＴＦＴ８５が接続された一つの画素に着目すると、その画素を構成する画素電極９０の左方には画素電極９０が存在しないので、左隣の画素電極９０との寄生容量９８が発生しない。
【００１７】
また、信号配線Ｓ１に着目すると、信号配線Ｓ１にはその左側に画素が存在しないため左側の画素電極９０との寄生容量Ｃsd９６は無く、画素電極９０との寄生容量はＣsd９５のみとなり中央に位置する信号配線Ｓ２・Ｓ３等に比べ配線容量が小さくなる。
【００１８】
したがって、最左列の信号配線Ｓ１は中央に位置した信号配線Ｓ２・Ｓ３…と異なり、その配線及び画素のカップリング容量が異なるため、中央の信号配線Ｓ２・Ｓ３…と同一の駆動条件ではその配線上の画素のドレイン電極８９は中央の画素と異なった電位となる。
【００１９】
このため、画面全体の画素に同じ電圧を印加しようとした時においても、最左列上の画素の液晶には中央の画素と異なった電圧が印加され、グレー画面を表示した時に色が付いて見える等の問題が生じる。
【００２０】
なお、ここでは、最左端の信号配線Ｓ１について説明したが最右端の信号配線Ｓｎについても、中央のラインとは容量条件が異なるため同様の問題が生じる。
【００２１】
なお、この種の問題を解決するものとして、例えば、特開平７−８４２３９号公報に開示された液晶表示装置があるが、この技術ではダミー信号配線を隣接して配置するだけであるので、絵素の開口率を高くするために走査配線及び／又は信号配線上に絶縁膜層を挟んで画素電極を重ねたような場合には、隣り合う画素電極間同士の寄生容量の悪影響を解決することはできない。
【００２２】
本発明は、上記従来の問題点に鑑みなされたものであって、その目的は、全信号配線及び／又は画素の容量条件を等しくし、特定部分の表示が異なることによる表示品位の低下を防止し得るマトリクス型の液晶表示装置を提供することにある。
【００２３】
【課題を解決するための手段】
本発明の液晶表示装置は、上記課題を解決するために、マトリクス状に配置された複数の画素に合わせて、走査信号が印加される走査配線とデータ信号が印加される信号配線とが交差して形成されるとともに、上記走査配線と信号配線との各交差部近傍にはこれら走査配線及び信号配線に電気的に接続されたスイッチング素子が設けられ、各スイッチング素子には画素電極が接続されている液晶表示装置において、Ｒ（Red:赤）・Ｇ（Green:緑）・Ｂ（Blue: 青）の３原色からなるカラーフィルタがそれぞれ設けられているとともに、最端の画素列の外側に、ダミー信号配線により駆動されるダミー画素が隣接配置され、ダミー画素に接続されるダミー信号配線は、上記カラーフィルタの色及び交流駆動における極性の周期に合わせて、対応するいずれかの同一色かつ同一極性のデータ信号の信号配線に接続されていることを特徴としている。
【００２４】
上記の発明によれば、最端の画素列の外側に、ダミー信号配線により駆動されるダミー画素が隣接配置されているので、上記最端の信号配線上の画素を中央の画素と同一な駆動条件で駆動することが可能となる。すなわち、最端の画素の外側にダミー画素が隣接配置されるので、最端の画素における、画素電極と各信号配線及び各走査配線との間に発生する寄生容量、並びに隣り合う画素電極間同士に発生する寄生容量の条件が、中央に配置された画素の当該条件と同一となる。
【００２５】
したがって、最端の画素におけるドレイン電極の電位も中央に配置された画素におけるドレイン電極の電位と同一条件にて印加されることになる。これにより、グレー画面表示時の色付き等の現象を低減することができ、高い表示品位を確保することができる。特に、絵素の開口率を高くするために走査配線及び信号配線上に絶縁膜層を挟んで画素電極を重ねた構造においては、隣り合う画素電極間同士における寄生容量の影響が大きいので、特に効果がある。
【００２６】
この結果、全信号配線及び画素の容量条件を等しくし、特定部分の表示が異なることによる表示品位の低下を防止し得るマトリクス型の液晶表示装置を提供することができる。
【００２７】
また、本発明の液晶表示装置では、ダミー画素に接続されるダミー信号配線は、カラーフィルタの色及び交流駆動における極性の周期に合わせて、対応するいずれかの同一色かつ同一極性のデータ信号の信号配線に接続されている。
【００２８】
すなわち、液晶表示装置においては、液晶に直流電圧が長時間にわたって印加され続けると、その保持特性が劣化するため、信号配線に入力されるデータ信号の極性を交互に反転する交流駆動が採用される。この交流駆動方式として、例えば、ゲートライン反転駆動方式、ドット反転駆動方式又はソース反転駆動方式があり、各方式に応じて同一色かつ同一極性のデータ信号を供給する信号配線の配設周期が異なる。
【００２９】
しかし、本発明では、ダミー信号配線は、色及び交流駆動における極性の周期に合わせて、対応するいずれかの同一色かつ同一極性のデータ信号の信号配線に接続されている。このため、最端の信号配線と同色でかつ同極性の信号配線と同様に、隣りの画素及び配線との容量結合による影響が等しくなり、グレー画面における色付き等の問題が解消されるようになる。
【００３０】
また、本発明の液晶表示装置は、上記記載の液晶表示装置において、ダミー信号配線には、ダミー画素駆動用の出力バッファが接続されていることを特徴としている。
【００３１】
すなわち、信号配線には、通常、出力バッファがそれぞれ設けられている。したがって、ダミー信号配線を信号配線と同じ条件にて駆動するためには、ダミー信号配線にも出力バッファを設ける必要がある。
【００３２】
この点、本発明によれば、ダミー信号配線には、ダミー画素駆動用の出力バッファが接続されているので、ダミー信号配線を信号配線と同じ条件にして、信号配線と同じ条件にて駆動することができる。
【００３３】
また、本発明の液晶表示装置は、上記記載の液晶表示装置において、ダミー画素に接続されるダミー信号配線は、ゲートライン反転駆動方式の場合には、そのダミー信号配線の３ｎ（ｎ＝１、２…）ライン隣の信号配線に接続されていることを特徴としている。
【００３４】
すなわち、交流駆動方式におけるゲートライン反転駆動方式では、３ラインの信号配線毎に同極性かつ同色の電圧が印加される。したがって、ダミー信号配線と最端の画素の信号配線との駆動条件を中央の画素と同一にするためには、ダミー信号配線は、その３ｎ（ｎ＝１、２…）ライン隣の信号配線と同じデータ信号が得られるようにすればよい。
【００３５】
この点、本発明では、ダミー信号配線は、ゲートライン反転駆動方式の場合には、そのダミー信号配線の３ｎ（ｎ＝１、２…）ライン隣の信号配線に接続されている。したがって、ダミー信号配線は、その３ｎ（ｎ＝１、２…）ライン隣の信号配線と同じデータ信号が得られるので、最端の信号配線は、その３ｎ（ｎ＝１、２…）ライン隣の同色で同極性の信号配線と同様に、隣りの画素及び配線との容量結合による影響が等しくなり、グレー画面における色付き等の問題が解消されるようになる。
【００３６】
また、本発明の液晶表示装置は、上記記載の液晶表示装置において、ダミー画素に接続されるダミー信号配線は、ドット反転駆動方式又はソース反転駆動方式の場合には、そのダミー信号配線の６ｎ（ｎ＝１、２…）ライン隣の信号配線に接続されていることを特徴としている。
【００３７】
すなわち、交流駆動方式におけるドット反転駆動方式では、ゲートライン反転駆動方式において水平１ライン毎に極性を反転していたのに加え、さらに隣り合う垂直ライン毎の極性も反転している。また、ソース反転駆動方式では、信号配線毎に極性を反転している。このため、ドット反転駆動方式又はソース反転駆動方式では、６ｎ（ｎ＝１、２…）ラインの信号配線毎に同極性かつ同色の電圧が印加される。したがって、ダミー信号配線と最端の画素の信号配線との駆動条件を中央の画素と同一にするためには、ダミー信号配線は、その６ｎ（ｎ＝１、２…）ライン隣の信号配線と同じデータ信号が得られるようにすればよい。
【００３８】
この点、本発明では、ダミー信号配線は、ドット反転駆動方式又はソース反転駆動方式の場合には、そのダミー信号配線の６ｎ（ｎ＝１、２…）ライン隣の信号配線に接続されている。したがって、ダミー信号配線は、その６ｎ（ｎ＝１、２…）ライン隣の信号配線と同じデータ信号が得られるので、最端の信号配線は、その６ｎ（ｎ＝１、２…）ライン隣の同色で同極性の信号配線と同様に、隣りの画素及び配線との容量結合による影響が等しくなり、グレー画面における色付き等の問題が解消されるようになる。
【００３９】
また、本発明の液晶表示装置は、上記課題を解決するために、Ｒ（Red:赤）・Ｇ（Green:緑）・Ｂ（Blue: 青）の３原色からなるカラーフィルタがそれぞれ設けられているとともに、最端の画素列の外側に、ダミー信号配線が隣接配置され、かつダミー信号配線には、出力バッファが接続され、ダミー信号配線は、上記カラーフィルタの色及び交流駆動における極性の周期に合わせて、対応するいずれかの同一色かつ同一極性のデータ信号の信号配線に接続されていることを特徴としている。
【００４０】
上記の発明によれば、ダミー信号配線には出力バッファが接続されているので、ダミー信号配線を信号配線と同じ条件にして、信号配線と同じ条件にて駆動することができる。
【００４１】
この結果、全信号配線の容量条件を等しくし、特定部分の表示が異なることによる表示品位の低下を防止し得るマトリクス型の液晶表示装置を提供することができる。
【００４２】
また、本発明の液晶表示装置では、ダミー信号配線は、カラーフィルタの色及び交流駆動における極性の周期に合わせて、対応するいずれかの同一色かつ同一極性のデータ信号の信号配線に接続されている。
【００４３】
上記の発明によれば、最端の信号配線と同色でかつ同極性の信号配線と同様に、隣りの配線との容量結合による影響が等しくなり、グレー画面における色付き等の問題が解消されるようになる。
【００４４】
また、本発明の液晶表示装置は、上記記載の液晶表示装置において、ダミー信号配線は、ゲートライン反転駆動方式の場合には、そのダミー信号配線の３ｎ（ｎ＝１、２…）ライン隣の信号配線に接続されていることを特徴としている。
【００４５】
上記の発明によれば、ダミー信号配線は、その３ｎ（ｎ＝１、２…）ライン隣の信号配線と同じデータ信号が得られるので、最端の信号配線は、その３ｎ（ｎ＝１、２…）ライン隣の同色で同極性の信号配線と同様に、隣りの配線との容量結合による影響が等しくなり、グレー画面における色付き等の問題が解消されるようになる。
【００４６】
また、本発明の液晶表示装置は、上記記載の液晶表示装置において、ダミー信号配線は、ドット反転駆動方式又はソース反転駆動方式の場合には、そのダミー信号配線の６ｎ（ｎ＝１、２…）ライン隣の信号配線に接続されていることを特徴としている。
【００４７】
上記の発明によれば、ダミー信号配線は、その６ｎ（ｎ＝１、２…）ライン隣の信号配線と同じデータ信号が得られるので、最端の信号配線は、その６ｎ（ｎ＝１、２…）ライン隣の同色で同極性の信号配線と同様に、隣りの配線との容量結合による影響が等しくなり、グレー画面における色付き等の問題が解消されるようになる。
【００４８】
【発明の実施の形態】
〔実施の形態１〕
本発明の実施の一形態について図１ないし図５に基づいて説明すれば、以下の通りである。
【００４９】
本実施の形態の液晶表示装置は、ＴＦＴ(Thin Film Transistor:薄膜トランジスタ）素子を用いたアクティブマトリクス型の液晶表示装置となっている。ただし、必ずしもこれに限らず、ＭＩＭ（Metal Insulator Metal)等のスイッチング素子を取り付けた液晶表示装置とすることも可能である。
【００５０】
上記のアクティブマトリクス型の液晶表示装置は、図１に示すように、上下一対の透明な図示しないガラス基板の間に液晶が封入されて複数の画素３０…がマトリクス状に形成されている。
【００５１】
上記一方のガラス基板上には、ＴＦＴ素子とそれに接続された回路配線が形成されている。
【００５２】
具体的には、同図に示すように、ガラス基板上には、走査配線駆動回路３から与えられる走査信号が順次印加される走査配線１（Ｇ１，Ｇ２，…）と、信号配線駆動回路４から与えられるデータ信号が順次印加される信号配線２（Ｓ１，Ｓ２，…）とが直交配置して形成されている。上記走査配線１（Ｇ１，Ｇ２，…）と信号配線２（Ｓ１，Ｓ２，…）との各々の交差部近傍にはスイッチング素子としてのＴＦＴ５が設けられ、各ＴＦＴ５…には透明な画素電極１０が接続されている。
【００５３】
また、図２に示すように、上記画素電極１０に対向して透明な導電膜からなる共通電極１２と図示しないカラーフィルタとが設けられ、共通電極１２にはコモン信号が印加される図示しない共通配線が接続されている。そして、上記の画素電極１０と共通電極１２とによって、液晶としての液晶容量Ｃlc１１を確保するためのコンデンサが構成されている。また、カラーフィルタは、Ｒ（Red:赤）・Ｇ（Green:緑）・Ｂ（Blue: 青）の３原色からなり、各画素電極１０…に対応して配置されている。さらに、各ガラス基板の外方には図示しない偏光板が設けられている。
【００５４】
一方、上記ＴＦＴ５は、そのゲート電極７が各走査配線１（Ｇ１，Ｇ２，…）に接続されるとともに、ソース電極８が信号配線２（Ｓ１，Ｓ２，…）に接続され、ドレイン電極９が画素電極１０にそれぞれ接続されている。さらに、画素電極１０の下方には補助容量配線６が形成されている。そして、液晶の保持動作を改善して高画質化を図る観点から、上記の画素電極１０と補助容量配線６とによって補助容量Ｃｓ１３を確保するためのコンデンサが構成されている。
【００５５】
この構成において、図１に示すように、走査配線駆動回路３によって、走査配線１（Ｇ１，Ｇ２，…）の上から下に向けて順次走査信号が入力されると、この走査信号入力によって一行分の各ＴＦＴ５…のゲートが同時にオンし、信号配線駆動回路４によって信号配線２（Ｓ１，Ｓ２，…）から表示用のデータ信号が１画素３０毎に入力される。
【００５６】
これによって、これらデータ信号が画素電極１０に印加され、画素電極１０と共通電極１２との電位差によって液晶の透過率が変化し、液晶パネル面上に文字、画像等が表示される。ただし、液晶に直流電圧が長時間にわたって印加され続けると、その保持特性が劣化するため、信号配線２（Ｓ１，Ｓ２，…）に入力されるデータ信号の極性を、例えば、１ゲートライン毎に反転する等して、画素電極１０には正の電圧と負の電圧とが交互に加わるように、いわゆる交流駆動が行われる。
【００５７】
ここで、上述したゲートライン反転駆動方式について詳細に説明する。なお、以下の説明では、１ゲートライン毎に反転するゲートライン反転駆動方式について説明するが、本発明においては、必ずしも１ゲートライン毎に限らず、２ゲートライン毎等の複数ライン毎に反転するゲートライン反転駆動方式に適用することが可能である。
【００５８】
液晶を交流駆動する理由については前述した通りであるが、その交流駆動の方法にも様々な方法があり、ゲートライン反転駆動方式はその中でよく採用されている方式の１つである。
【００５９】
先ず、液晶には交流駆動のためプラスの電圧とマイナスの電圧とを交互に印加するが、図３（ａ）に示すように、このゲートライン反転駆動方式では水平１ライン毎に極性を反転する。また、図３（ｂ）に示すように、次のフィールドにおいても全体の極性を反転する。このゲートライン反転駆動方式では従来の１垂直ライン反転駆動方式に比べて反転の周期が短くなりフリッカーが見え難くなる等のメリットがある。
【００６０】
上記構成を踏まえ、本実施の形態の液晶表示装置ではさらに以下の特徴的な構成を有している。
【００６１】
すなわち、本実施の形態の液晶表示装置は、図１に示すように、左端の信号配線Ｓ１の外側に、ダミー画素３０ａ及びダミー信号配線Ｓ０を配している。この最左端のダミー信号配線Ｓ０は、１水平ライン反転駆動時において、中央の信号配線Ｓ１・Ｓ２…と同様の駆動条件にて駆動される。具体的には、信号配線駆動回路４から出力された信号は、ダミー信号配線用出力バッファ１８ａを介して各信号配線２…に出力される。
【００６２】
ここで、画面全体を一様な色調で表示するような場合、信号配線Ｓ１のデータ信号と信号配線Ｓ４のデータ信号とは同色かつ同極性となって同一となる。このため、信号配線Ｓ１上の画素３０…には信号配線Ｓ４上の画素…と等しい電圧を印加する必要がある。また、等しい電圧を印加するためには信号配線Ｓ１は信号配線Ｓ４と同一の駆動条件（容量条件）にて駆動する必要がある。
【００６３】
このことから逆算すると、信号配線Ｓ１の左隣りのダミー信号配線Ｓ０には信号配線Ｓ３と同一のデータ信号を入力する必要がある。したがって、ダミー信号配線Ｓ０はその３ライン隣の信号配線Ｓ３にダミー信号配線用出力バッファ１８ａを介して接続される。なお、上記の例では、ダミー信号配線Ｓ０を３ライン隣の信号配線Ｓ３に接続しているが、必ずしもこれに限らず、同色かつ同極の信号配線２（Ｓ１，Ｓ２，…）は、３ｎ（ｎ＝１、２…）ライン毎に現れるので、３ｎ（ｎ＝１、２…）ライン隣の信号配線２（Ｓ１，Ｓ２，…）に接続することが可能である。
【００６４】
この結果、ダミー信号配線用出力バッファ１８ａに信号配線Ｓ３のデータ信号を入力することにより、ダミー信号配線Ｓ０は信号配線Ｓ３と同一の印加電圧にて駆動される。
【００６５】
したがって、従来の最左端の信号配線Ｓ１における、隣りのダミー画素３０ａ及びダミー信号配線Ｓ０との容量結合による影響は、同色で同極性の信号配線Ｓ４における、その隣の画素３０及び信号配線Ｓ３との容量結合による影響と等しくなり、グレー画面における色付き等の問題が解消されるようになる。
【００６６】
なお、上記の説明においてはゲートライン反転駆動方式での適用例を示したが、必ずしもこれに限定されず、例えば、ドット反転駆動方式又はソース反転駆動方式においても最端の信号配線を中央の信号配線と同一の駆動を可能にすることができる。
【００６７】
このドット反転駆動方式では、図４（ａ）（ｂ）に示すように、前記ゲートライン反転駆動方式では水平１ライン毎に極性を反転していたのに加え、さらに隣り合う垂直ライン毎の極性も反転している。
【００６８】
そして、同図（ａ）（ｂ）から分かるように、ドット反転駆動方式ではある垂直ラインとその６ライン隣りの垂直ラインとが、色が同じで極性も同じとなる。
【００６９】
なお、上記の例では、ダミー信号配線Ｓ０を６ライン隣の信号配線Ｓ６に接続しているが、必ずしもこれに限らず、同色かつ同極の信号配線２（Ｓ１，Ｓ２，…）は、６ｎ（ｎ＝１、２…）ライン毎に現れるので、６ｎ（ｎ＝１、２…）ライン隣の信号配線２（Ｓ１，Ｓ２，…）に接続することが可能である。また、ソース反転駆動方式でも、一つの走査配線１（Ｇ１，Ｇ２，…）では、ドット反転駆動方式と同様であるので、同様の接続が可能である。
【００７０】
したがって、図５に示すように、ダミー信号配線Ｓ０に信号配線Ｓ６の信号をダミー信号配線用出力バッファ１８ａを介して入力することにより、ゲートライン反転駆動方式と同様に、従来の最左端の信号配線Ｓ１を中央の信号配線Ｓ７と同一条件で駆動することが可能となり、色付き等の問題を解消することができる。
【００７１】
また、上記の方法は、ソース反転駆動方式にも適用できる。すなわち、ソース反転駆動方式では、信号配線２（Ｓ１，Ｓ２，…）毎に極性を反転して駆動する。このため、同色かつ同極の信号配線２（Ｓ１，Ｓ２，…）は、６ｎ（ｎ＝１、２…）ライン毎に現れるので、６ｎ（ｎ＝１、２…）ライン隣の信号配線２（Ｓ１，Ｓ２，…）に接続することが可能である。
【００７２】
なお、本実施の形態では、ダミー画素３０ａを設けているので、このダミー画素３０ａに対する表示品位が問題となる。この点について、本実施の形態では、ダミー画素３０ａの液晶には通常の画素３０と同様に電圧が印加されるが、ダミー画素３０ａは例えばブラックマトリクスにて覆う等して表示が見えないようにするため、ダミー画素３０ａの表示品位は問題にならない。
【００７３】
このように、本実施の形態の液晶表示装置では、最左端の画素３０…列の外側に、ダミー信号配線Ｓ０により駆動されるダミー画素３０ａ…が隣接配置されているので、最左端の信号配線Ｓ１上の画素３０…を中央の画素３０…と同一な駆動条件で駆動することが可能となる。すなわち、最左端の画素３０…の外側にダミー画素３０ａ…が隣接配置されるので、最左端の画素３０…における、画素電極１０と各ダミー信号配線Ｓ０及び各走査配線１（Ｇ１，Ｇ２，…）との間に発生する寄生容量、並びに隣り合う画素電極１０…間同士に発生する寄生容量の条件が、中央に配置された画素３０…の当該条件と同一となる。
【００７４】
したがって、従来の最左端の画素３０…におけるドレイン電極の電位も中央に配置された画素３０…におけるドレイン電極の電位と同一条件にて印加されることになる。これにより、グレー画面表示時の色付き等の現象を低減することができ、高い表示品位を確保することができる。
【００７５】
特に、最近では、絵素の開口率を高くするために走査配線１（Ｇ１，Ｇ２，…）及び信号配線２（Ｓ１，Ｓ２，…）上に絶縁膜層を挟んで画素電極１０…を重ねた液晶表示装置が出現してきている。このような場合には、隣り合う画素電極１０…間同士に発生する寄生容量が大きく影響し、表示品位の低下を招くので、このような構造の液晶表示装置への本実施の形態の構成の適用による効果は大きい。
【００７６】
この結果、全信号配線２（Ｓ１，Ｓ２，…）及び画素３０…の容量条件を等しくし、特定部分の表示が異なることによる表示品位の低下を防止し得るマトリクス型の液晶表示装置を提供することができる。
【００７７】
また、本実施の形態の液晶表示装置では、ダミー信号配線Ｓ０には、ダミー信号配線用出力バッファ１８ａが接続されている。
【００７８】
すなわち、各信号配線２（Ｓ１，Ｓ２，…）には、通常、出力バッファ１８…がそれぞれ設けられている。したがって、ダミー信号配線Ｓ０を信号配線２（Ｓ１，Ｓ２，…）と同じ条件にて駆動するためには、ダミー信号配線Ｓ０にも出力バッファ１８…を設ける必要がある。
【００７９】
この点、本実施の形態によれば、ダミー信号配線Ｓ０には、ダミー信号配線用出力バッファ１８ａが接続されているので、ダミー信号配線Ｓ０を信号配線２（Ｓ１，Ｓ２，…）と同じ条件にして、信号配線２（Ｓ１，Ｓ２，…）と同じ条件にて駆動することができる。
【００８０】
また、本実施の形態の液晶表示装置では、ダミー画素３０ａに接続されるダミー信号配線Ｓ０は、色及び交流駆動における極性の周期に合わせて、対応するいずれかの同一色かつ同一極性のデータ信号信号配線２（Ｓ１，Ｓ２，…）に接続されている。
【００８１】
すなわち、液晶表示装置においては、液晶に直流電圧が長時間にわたって印加され続けると、その保持特性が劣化するため、信号配線２（Ｓ１，Ｓ２，…）に入力されるデータ信号の極性を交互に反転する交流駆動が採用される。この交流駆動方式として、例えば、ゲートライン反転駆動方式、ドット反転駆動方式又はソース反転駆動方式があり、各方式に応じて同一色かつ同一極性のデータ信号を供給する信号配線２（Ｓ１，Ｓ２，…）の配設周期が異なる。
【００８２】
しかし、本実施の形態では、ダミー信号配線Ｓ０は、色及び交流駆動における極性の周期に合わせて、対応するいずれかの同一色かつ同一極性のデータ信号の信号配線２（Ｓ１，Ｓ２，…）に接続されている。このため、最端の信号配線Ｓ１と同色でかつ同極性の信号配線Ｓ４又は信号配線Ｓ７と同様に、隣りの画素及び配線との容量結合による影響が等しくなり、グレー画面における色付き等の問題が解消されるようになる。
【００８３】
また、本実施の形態の液晶表示装置では、ダミー画素３０ａに接続されるダミー信号配線Ｓ０は、ゲートライン反転駆動方式の場合には、そのダミー信号配線Ｓ０の３ｎ（ｎ＝１、２…）ライン隣の信号配線２に接続されている。
【００８４】
すなわち、交流駆動方式におけるゲートライン反転駆動方式では、３ラインの信号配線２毎に同極性かつ同色の電圧が印加される。したがって、ダミー信号配線Ｓ０と最端の画素３０…の信号配線Ｓ１との駆動条件を中央の画素３０…と同一にするためには、ダミー信号配線Ｓ０は、その３ｎ（ｎ＝１、２…）ライン隣の信号配線２と同じデータ信号が得られるようにすればよい。
【００８５】
この点、本実施の形態では、ダミー信号配線Ｓ０は、ゲートライン反転駆動方式の場合には、そのダミー信号配線Ｓ０の３ｎ（ｎ＝１、２…）ライン隣の信号配線２に接続されている。したがって、ダミー信号配線Ｓ０は、その３ｎ（ｎ＝１、２…）ライン隣の信号配線Ｓ３・Ｓ６…と同じデータ信号が得られるので、最端の信号配線Ｓ１は、その３ｎ（ｎ＝１、２…）ライン隣の同色で同極性の信号配線Ｓ４・Ｓ７…と同様に、隣りの画素及び配線との容量結合による影響が等しくなり、グレー画面における色付き等の問題が解消されるようになる。
【００８６】
また、本実施の形態の液晶表示装置は、ダミー画素３０ａに接続されるダミー信号配線Ｓ０は、ドット反転駆動方式又はソース反転駆動方式の場合には、そのダミー信号配線Ｓ０の６ｎ（ｎ＝１、２…）ライン隣の信号配線２（Ｓ１，Ｓ２，…）に接続されている。
【００８７】
すなわち、交流駆動方式におけるドット反転駆動方式では、ゲートライン反転駆動方式において水平１ライン毎に極性を反転していたのに加え、さらに隣り合う垂直ライン毎の極性も反転している。また、ソース反転駆動方式では、信号配線毎に極性を反転している。このため、ドット反転駆動方式又はソース反転駆動方式では、６ｎ（ｎ＝１、２…）ラインの信号配線２毎に同極性かつ同色の電圧が印加される。したがって、ダミー信号配線Ｓ０と最端の画素３０…の信号配線Ｓ１との駆動条件を中央の画素３０…と同一にするためには、ダミー信号配線Ｓ０は、その６ｎ（ｎ＝１、２…）ライン隣の信号配線２と同じデータ信号が得られるようにすればよい。
【００８８】
この点、本実施の形態では、ダミー信号配線Ｓ０は、ドット反転駆動方式又はソース反転駆動方式の場合には、そのダミー信号配線Ｓ０の６ｎ（ｎ＝１、２…）ライン隣の信号配線Ｓ６・Ｓ１２…に接続されている。したがって、ダミー信号配線Ｓ０は、その６ｎ（ｎ＝１、２…）ライン隣の信号配線Ｓ６・Ｓ１２…と同じデータ信号が得られるので、最端の信号配線Ｓ１は、その６ｎ（ｎ＝１、２…）ライン隣の同色で同極性の信号配線Ｓ６・Ｓ１２…と同様に、隣りの画素及び配線との容量結合による影響が等しくなり、グレー画面における色付き等の問題が解消されるようになる。
【００８９】
なお、本実施の形態では、ダミー画素３０ａとダミー信号配線Ｓ０との組み合わせによる作用、効果を説明したが、本発明においては必ずしもこれに限らず、ダミー信号配線Ｓ０のみを備える場合であっても、全信号配線の容量条件を等しくし、特定部分の表示が異なることによる表示品位の低下を防止し得るマトリクス型の液晶表示装置を提供することができる。
【００９０】
〔実施の形態２〕
本発明の他の実施の形態について図６ないし図８に基づいて説明すれば、以下の通りである。なお、説明の便宜上、前記の実施の形態１の図面に示した部材と同一の機能を有する部材については、同一の符号を付し、その説明を省略する。
【００９１】
本実施の形態では、ダミー信号配線Ｓ０として、断線した信号配線を修正するための予備配線を共用する場合について説明する。
【００９２】
図６に示すように、各信号配線２（Ｓ１，Ｓ２，…）は、製造時の成膜不良によりその配線の途中で断線を発生することがある。そこで、本実施の形態の液晶表示装置では、この断線を修正できるように、予め、各ソースドライバ２２…に予備配線駆動用出力バッファ２３・２３が２個ずつ設けられているとともに、同図において右側の予備配線駆動用出力バッファ２３には、液晶パネル１９の周辺部を経由するように配線された予備配線２０…がそれぞれ接続されている。なお、本実施の形態では、予備配線２０を接続したラインは負荷が大きくなり駆動能力不足になるため、予備配線駆動用出力バッファ２３をソースドライバ２２内に設置している。また、本実施の形態では、複数個の画素３０…毎にソースドライバ２２が設けられているものとする。
【００９３】
ここで、今、例えば信号配線２１を断線した信号配線であるとする。信号配線２１が断線すると、断線した部分以降にはデータ信号を送ることができず、輝線となり、その液晶パネル１９は欠陥パネルとなる。
【００９４】
そこで、このとき、前記予め液晶パネル１９の周辺部を経由するように配線された予備配線２０を断線した信号配線２１の両端に接続することにより、信号配線２１に出力されるデータ信号を断線した先にも送ることが可能となる。この結果、輝線となった部分について、通常のライン表示とすることが可能となり、欠陥が修正される。
【００９５】
ここで、本実施の形態では、前述したように、予備配線駆動用出力バッファ２３とダミー信号配線用出力バッファ１８ａとを共用している。
【００９６】
すなわち、図８に示すように、ソースドライバ２２は信号配線駆動回路４を内部に有しているとともに、図７に示すように、各ソースドライバ２２…に予備配線駆動用出力バッファ２３・２３をその左右対称に具備している。このように、予備配線駆動用出力バッファ２３を各ソースドライバ２２…に左右対称に備えることによって、画面サイズ、画素数等が異なり予備配線の配線形態の異なる液晶パネル１９においてもソースドライバ２２の共用が可能となっている。
【００９７】
本実施の形態では、予備配線２０をソースドライバ２２の右側の予備配線駆動用出力バッファ２３と接続するように配線する。このような配線とすることにより各ソースドライバ２２の左側の予備配線駆動用出力バッファ２３が余る。したがって、最左端のソースドライバ２２における左側の予備配線駆動用出力バッファ２３にダミー信号配線Ｓ０を接続することができ、この左側の予備配線駆動用出力バッファ２３をダミー信号配線用出力バッファ１８ａとして共用することができる。
【００９８】
すなわち、ダミー信号配線Ｓ０は、ゲートライン反転駆動方式では、図８に示すように、信号配線Ｓ３から分岐した配線を最左端のソースドライバ２２内の予備配線駆動用出力バッファ２３に接続する。また、予備配線駆動用出力バッファ２３の出力側はダミー信号配線Ｓ０に接続される。これにより、ダミー信号配線Ｓ０を、予備配線駆動用出力バッファ２３を介して信号配線Ｓ３と同一信号で駆動できるようになる。つまり、余った予備配線駆動用出力バッファ２３を利用することによって、新規にダミー画素駆動用出力バッファ１８ａを設置する必要がなくなり、チップ面積の増大によるコストアップ等の問題が回避できる。
【００９９】
また、同図においては、ゲートライン反転駆動方式の場合を例示しているが、本実施の形態では、前記実施の形態１のように、ドット反転駆動方式又はソース反転駆動方式の場合においても同様の配線として、ダミー信号配線Ｓ０とすることが可能である。
【０１００】
なお、本実施の形態１及び実施の形態２では、最左端の信号配線Ｓ１の場合についての説明であったが、必ずしもこれに限らず、最右端の信号配線においても同様の構成とすることによって、適用が可能である。その他、配線形態の変更等様々な構成での本発明の適用が可能である。
【０１０１】
このように、本実施の形態の液晶表示装置は、ダミー信号配線用出力バッファ１８ａとして、予備配線用バッファ２３が共用される。
【０１０２】
したがって、最端の信号配線Ｓ１上の画素の色付き等を改善することが可能となり、液晶パネル１９の表示品位を向上することが可能となる。また、予備配線駆動用出力バッファ２３をダミー信号配線用出力バッファ１８ａと共用とすることにより新規にバッファ回路を設ける必要がなくなり、チップ面積増大によるコストアップを回避できる。
【０１０３】
なお、本実施の形態では、ダミー画素３０ａとダミー信号配線Ｓ０との組み合わせによる作用、効果を説明したが、本発明においては必ずしもこれに限らず、ダミー信号配線Ｓ０のみを備える場合であっても、同様の効果が得られる。
【０１０４】
【発明の効果】
本発明の液晶表示装置は、以上のように、最端の画素列の外側に、ダミー信号配線により駆動されるダミー画素が隣接配置されているものである。
【０１０５】
それゆえ、最端の信号配線上の画素を中央の画素と同一な駆動条件で駆動することが可能となる。したがって、最端の画素におけるドレイン電極の電位も中央に配置された画素におけるドレイン電極の電位と同一条件にて印加されることになる。
【０１０６】
この結果、全信号配線の容量条件を等しくし、特定部分の表示が異なることによる表示品位の低下を防止し得るマトリクス型の液晶表示装置を提供することができるという効果を奏する。特に、絵素の開口率を高くするために走査配線及び信号配線上に絶縁膜層を挟んで画素電極を重ねた構造においては、隣り合う画素電極間同士における寄生容量の影響が大きいので、効果が大きい。
【０１０７】
また、本発明の液晶表示装置は、上記記載の液晶表示装置において、ダミー信号配線には、ダミー画素駆動用の出力バッファが接続されているものである。
【０１０８】
それゆえ、ダミー信号配線を信号配線と同じ条件にして、信号配線と同じ条件にて駆動することができるという効果を奏する。
【０１０９】
また、本発明の液晶表示装置は、上記記載の液晶表示装置において、ダミー画素に接続されるダミー信号配線は、カラーフィルタの色及び交流駆動における極性の周期に合わせて、対応するいずれかの同一色かつ同一極性のデータ信号の信号配線に接続されているものである。
【０１１０】
それゆえ、最端の信号配線と同色でかつ同極性の信号配線と同様に、隣りの画素及び配線との容量結合による影響が等しくなり、グレー画面における色付き等の問題が解消されるようになるという効果を奏する。
【０１１１】
また、本発明の液晶表示装置は、上記記載の液晶表示装置において、ダミー画素に接続されるダミー信号配線は、ゲートライン反転駆動方式の場合には、そのダミー信号配線の３ｎ（ｎ＝１、２…）ライン隣の信号配線に接続されているものである。
【０１１２】
それゆえ、ゲートライン反転駆動方式の場合に、ダミー信号配線は、その３ｎ（ｎ＝１、２…）ライン隣の信号配線と同じデータ信号が得られるので、最端の信号配線は、その３ｎ（ｎ＝１、２…）ライン隣の同色で同極性の信号配線と同様に、隣りの画素及び配線との容量結合による影響が等しくなり、グレー画面における色付き等の問題が解消されるようになるという効果を奏する。
【０１１３】
また、本発明の液晶表示装置は、上記記載の液晶表示装置において、ダミー画素に接続されるダミー信号配線は、ドット反転駆動方式又はソース反転駆動方式の場合には、そのダミー信号配線の６ｎ（ｎ＝１、２…）ライン隣の信号配線に接続されているものである。
【０１１４】
それゆえ、ドット反転駆動方式又はソース反転駆動方式の場合に、ダミー信号配線は、その６ｎ（ｎ＝１、２…）ライン隣の信号配線と同じデータ信号が得られるので、最端の信号配線は、その６ｎ（ｎ＝１、２…）ライン隣の同色で同極性の信号配線と同様に、隣りの画素及び配線との容量結合による影響が等しくなり、グレー画面における色付き等の問題が解消されるようになるという効果を奏する。
【０１１５】
本発明の液晶表示装置は、以上のように、最端の画素列の外側に、ダミー信号配線が隣接配置され、かつダミー信号配線には、出力バッファが接続されているものである。
【０１１６】
それゆえ、ダミー信号配線には出力バッファが接続されているので、ダミー信号配線を信号配線と同じ条件にして、信号配線と同じ条件にて駆動することができる。
【０１１７】
この結果、全信号配線の容量条件を等しくし、特定部分の表示が異なることによる表示品位の低下を防止し得るマトリクス型の液晶表示装置を提供することができるという効果を奏する。
【０１１８】
また、本発明の液晶表示装置は、上記記載の液晶表示装置において、ダミー信号配線は、カラーフィルタの色及び交流駆動における極性の周期に合わせて、対応するいずれかの同一色かつ同一極性のデータ信号の信号配線に接続されているものである。
【０１１９】
それゆえ、最端の信号配線と同色でかつ同極性の信号配線と同様に、隣りの配線との容量結合による影響が等しくなり、グレー画面における色付き等の問題が解消されるようになるという効果を奏する。
【０１２０】
また、本発明の液晶表示装置は、上記記載の液晶表示装置において、ダミー信号配線は、ゲートライン反転駆動方式の場合には、そのダミー信号配線の３ｎ（ｎ＝１、２…）ライン隣の信号配線に接続されているものである。
【０１２１】
それゆえ、ダミー信号配線は、その３ｎ（ｎ＝１、２…）ライン隣の信号配線と同じデータ信号が得られるので、最端の信号配線は、その３ｎ（ｎ＝１、２…）ライン隣の同色で同極性の信号配線と同様に、隣りの配線との容量結合による影響が等しくなり、グレー画面における色付き等の問題が解消されるようになるという効果を奏する。
【０１２２】
また、本発明の液晶表示装置は、上記記載の液晶表示装置において、ダミー信号配線は、ドット反転駆動方式又はソース反転駆動方式の場合には、そのダミー信号配線の６ｎ（ｎ＝１、２…）ライン隣の信号配線に接続されているものである。
【０１２３】
それゆえ、ダミー信号配線は、その６ｎ（ｎ＝１、２…）ライン隣の信号配線と同じデータ信号が得られるので、最端の信号配線は、その６ｎ（ｎ＝１、２…）ライン隣の同色で同極性の信号配線と同様に、隣りの配線との容量結合による影響が等しくなり、グレー画面における色付き等の問題が解消されるようになるという効果を奏する。
【図面の簡単な説明】
【図１】  本発明における液晶表示装置の実施の一形態を示す模式図である。
【図２】  上記液晶表示装置の１画素を示す等価回路図である。
【図３】  （ａ）は上記液晶表示装置をゲートライン反転駆動方式にて駆動するときの奇数フィールドを示す図面であり、（ｂ）は同偶数フィールドを示す図面である。
【図４】  （ａ）は上記液晶表示装置をドット反転駆動方式にて駆動するときの奇数フィールドを示す図面であり、（ｂ）は同偶数フィールドを示す図面である。
【図５】  上記液晶表示装置をドット反転駆動方式にて駆動する場合のダミー信号配線の接続方法を示す模式図である。
【図６】  本発明における液晶表示装置の他の実施の形態を示すものであり、液晶パネルの周辺部に設けられた予備配線にて断線した信号配線を修正する状態を示す模式図である。
【図７】  上記液晶表示装置における最左端のソースドライバにおける左側の予備配線駆動用出力バッファにダミー信号配線を接続する状態を示す模式図である。
【図８】  上記液晶表示装置の予備配線駆動用出力バッファをダミー画素駆動用出力バッファとして共用する状態を示す模式図である。
【図９】  従来のアクティブマトリクス型の液晶表示装置を示す模式図である。
【図１０】  上記液晶表示装置の１画素を示す等価回路図である。
【図１１】  上記液晶表示装置の１画素における、画素電極と各信号配線及び各走査配線との間に発生する寄生容量、並びに隣り合う画素電極間同士に発生する寄生容量を示す等価回路図である。
【符号の説明】
１    走査配線
２    信号配線
３    走査配線駆動回路
４    信号配線駆動回路
５    ＴＦＴ（スイッチング素子）
１０    画素電極
１１    液晶容量（液晶）
１２    共通電極
１８    出力バッファ
１８ａ  ダミー信号配線用出力バッファ（ダミー画素駆動用の出力バッファ）
１９    液晶パネル
２０    予備配線
２２    ソースドライバ
２３    予備配線駆動用出力バッファ
３０    画素
３０ａ  ダミー画素
Ｓ０    ダミー信号配線
Ｓ１    最左端の信号配線
Ｓ３    ３ライン隣の信号配線
Ｓ６    ６ライン隣の信号配線
【図１】
0003730161.tif 000002
【図２】
0003730161.tif 000003
【図３】
0003730161.tif 000004
【図４】
0003730161.tif 000005
【図５】
0003730161.tif 000006
【図６】
0003730161.tif 000007
【図７】
0003730161.tif 000008
【図８】
0003730161.tif 000009
【図９】
0003730161.tif 000010
【図１０】
0003730161.tif 000011
【図１１】
0003730161.tif 000012